(57)【要約】【課題】焚き残りや灰の除去等の取扱いがより簡単な香立を提供する。【解決手段】本考案にかかる香立１０は、線香１１を挿入可能な貫通孔３６を有するホルダ３５と、ホルダ３５を着脱可能に支持することによりホルダ３５に挿入された線香１１を支持可能な棒状のホルダ支持体３１と、底部２１および壁部２２を備える香皿２０と、を備える。ホルダ３５を支持するホルダ支持体３１が、壁部２２の上端面２４で着脱可能に支承される。【選択図】図１
0003196543.tif 000002
【実用新案登録請求の範囲】
【請求項１】
線香を挿入可能な貫通孔を有するホルダと、前記ホルダを着脱可能に支持することにより前記ホルダに挿入された線香を支持可能な棒状のホルダ支持体と、底部および壁部を備える香皿と、を備える香立であって、
前記ホルダを支持する前記ホルダ支持体が、前記壁部の上端面で着脱可能に支承されることを特徴とする香立。
【請求項２】
前記ホルダに形成された溝に前記ホルダ支持体が嵌合することにより、前記ホルダが前記ホルダ支持体に支持されることを特徴とする請求項１に記載の香立。
【請求項３】
前記ホルダ支持体が、前記壁部の前記上端面に形成された凹部で着脱可能に支承されることを特徴とする請求項１または２に記載の香立。
【考案の詳細な説明】
【技術分野】
【０００１】
本考案は、香を焚く際に使用する香立に関するものである。
【背景技術】
【０００２】
細長い棒状の線香を焚く場合には、従来、陶器、磁器、金属等からなる香皿の平坦な底部に、陶器、磁器、金属等からなる線香支持具を載置し、線香支持具に設けられた挿入孔に線香を差し立て、その一端に点火することが知られている。
【考案の概要】
【考案が解決しようとする課題】
【０００３】
一端に点火された線香は他端に向かって燃焼するが、燃焼が進むにつれて、香皿の底部には灰が集積される。また、線香支持具の挿入孔まで燃焼が進むと、線香支持具に熱を奪われてしまうことにより燃焼が終了し、挿入孔内に焚き残りが残存してしまう。この焚き残りや灰を除去するためには線香支持具を香皿の平坦な底部から回収しなくてはならず、香皿の底部に集積された灰や焚き残りにより手が汚れてしまうという不都合があった。
【０００４】
本考案は上記の課題に鑑みてなされたものであり、焚き残りや灰の除去等の取扱いがより簡単な香立を提供するものである。
【課題を解決するための手段】
【０００５】
本考案の上記目的は、下記の構成により達成される。
（１）  線香を挿入可能な貫通孔を有するホルダと、前記ホルダを着脱可能に支持することにより前記ホルダに挿入された線香を支持可能な棒状のホルダ支持体と、底部および壁部を備える香皿と、を備える香立であって、
前記ホルダを支持する前記ホルダ支持体が、前記壁部の上端面で着脱可能に支承されることを特徴とする香立。
（２）  前記ホルダに形成された溝に前記ホルダ支持体が嵌合することにより、前記ホルダが前記ホルダ支持体に支持されることを特徴とする（１）に記載の香立。
（３）  前記ホルダ支持体が、前記壁部の前記上端面に形成された凹部で着脱可能に支承されることを特徴とする（１）または（２）に記載の香立。
【考案の効果】
【０００６】
本考案に係る香立によれば、線香を挿入可能な貫通孔を有するホルダと、ホルダを着脱可能に支持することによりホルダに挿入された線香を支持可能な棒状のホルダ支持体と、を備えるので、ホルダをホルダ支持体から持ち上げるだけで、焚き残りを貫通孔から香皿に落下させることができ、線香の焚き残りを容易に除去することができる。
【０００７】
また、ホルダを支持するホルダ支持体が、香皿の壁部の上端面で着脱可能に支承されるので、ホルダ支持体をホルダとともに香皿から持ち上げて取り外すことで、手を汚さずに香皿の灰や焚き残りを処理することができ、取扱いが容易となる。
【図面の簡単な説明】
【０００８】
【図１】本考案に係る香立の第１実施形態の斜視図である。
【図２】図１の香立の分解斜視図である。
【図３】本考案に係る香立の第２実施形態の斜視図である。
【図４】本考案に係る香立の第３実施形態の斜視図である。
【考案を実施するための形態】
【０００９】
以下、本考案に係る香立の実施形態を、図面に基づいて詳細に説明する。図１及び図２に示すように、本考案の香立１０は、線香１１を挿入可能な貫通孔３６を有するホルダ３５と、ホルダ３５を着脱可能に支持することによりホルダ３５に挿入された線香１１を支持可能な断面矩形の棒状のホルダ支持体３１と、底部２１および壁部２２を備える、上面視略長方形形状の香皿２０と、を備える。ホルダ３５、ホルダ支持体３１、及び香皿２０は、例えば陶器、磁器、金属等の難燃性の材料から形成される。
【００１０】
図１及び図２に示すように、香皿２０の壁部２２の短辺側上端面２４には、凹部２５が形成されており、ホルダ支持体３１は、その両端部３２が凹部２５に嵌合することで、着脱可能に支承されている。
【００１１】
また、ホルダ３５は、略かまぼこ形状（断面視において、略半楕円形状）を有し、上面中央から幅方向両側に向かって下方へ延在するとともに、その延在方向が徐々に鉛直方向に変化する曲面３８を有する。また、ホルダ３５は、下方にホルダ支持体３１と嵌合するように、ホルダ支持体３１の長手方向に沿う溝３７が下面に形成され、さらに、上面には、下面の溝３７に貫通する貫通孔３６が形成されている。したがって、線香１１は、ホルダ３５がホルダ支持体３１に支承された状態で、先端が斜め上方を向くようにして、ホルダ３５の貫通孔３６と、ホルダ支持体３１の上面とによって支持される。また、ホルダ３５は、ホルダ支持体３１の軸方向中間部３３の任意の位置で、ホルダ支持体３１と嵌合させることができる。
【００１２】
次に、前記香立１０の使用形態について説明する。
線香１１の先端に点火されると、燃焼により生じる灰は香皿２０内に落ちる。また、燃焼が進み、ホルダ３５上に落ちた灰は、ホルダ３５の曲面形状によって香皿２０に自然と落ちる。したがって、ホルダ３５を使用者がつかむ際に、指に灰が付着するのを抑制することができる。
そして、線香１１が貫通孔３６の近傍まで焚かれると、ホルダ３５により熱が奪われて火が消える。貫通孔３６内には焚き残りが残存するが、この焚き残りは、ホルダ３５をホルダ支持体３１から持ち上げるだけで、溝３７に貫通する貫通孔３６から香皿２０に落ち、ホルダ３５から容易に取り除くことができる。また、ホルダ３５とホルダ支持体３１を香皿２０から取り外すだけで、香皿２０上の焚き残りや前述した灰を処理することができる。
【００１３】
また、貫通孔３６に挿入された線香１１は、先端が斜め上方を向くように支持されているので、直立させた状態で線香１１を焚く場合よりも香皿２０の底部に近い場所で燃焼することとなり、使用者に対し、視覚的な安心感を向上させることができる。
【００１４】
以上説明したように、本考案によれば、線香１１を挿入可能な貫通孔３６を有するホルダ３５と、ホルダ３５を着脱可能に支持することによりホルダ３５に挿入された線香１１を支持可能な棒状のホルダ支持体３１と、を備えるので、ホルダ３５をホルダ支持体３１から持ち上げることで、焚き残りを貫通孔３６から香皿２０に落下させることができ、線香１１の焚き残りを容易に除去することができる。
【００１５】
また、ホルダ３５を支持するホルダ支持体３１が、香皿２０の壁部２２の上端面２４で着脱可能に支承されるので、ホルダ支持体３１をホルダ３５とともに香皿２０から持ち上げて取り外すことで、手を汚さずに香皿２０の灰や焚き残りを処理することができ、取扱いが容易となる。
【００１６】
以上に本考案の一実施形態を説明したが、本考案は前記に限定されるものではなく、種々の変形が可能である。例えば、香皿、ホルダ、及びホルダ支持体の外観形状や寸法は前記に限定されるものではなく、種々の形状、大きさに変形可能である。例えば、上記した実施形態においては、ホルダ支持体が断面矩形の棒状に形成されていたが、ホルダ支持体の断面形状は円形や六角形など、任意のものであってよい。ホルダ支持体が断面円形の棒状に形成されている場合には、ホルダの溝の断面形状や、香皿の凹部の断面形状も相補的に形成されればよい。ホルダの外面形状も、任意であり、上記実施形態の略かまぼこ形状のように、灰が自然と香皿に落下しやすい形状であることが好ましい。
【００１７】
また、図３の第２実施形態の香立１０Ａに示すように、香皿２０Ａは、底部２１Ａと壁部２２Ａとで、上面視楕円形形状に形成されていてもよい。また、ホルダ支持体３１は、両端部３２が壁部２２Ａの長軸側の上端面２４Ａに形成された各凹部２５Ａに着脱可能に支承される。
【００１８】
さらに、図４の第３実施形態の香立１０Ｂに示すように、香皿２０Ｂは、壁部４２を有する上段部４０と、壁部４２と嵌り合う壁部５２及び底部２１を有する下段部５０との二段に分けて構成される。これにより、灰や焚き残りの処理は、上段部４０と下段部５０とを分離し、香皿２０Ｂの下段部５０のみを持ち運んで行うことができる。また、ホルダ支持体３１は、上段部４０の上端面４４において、隣接する２辺に設けられた凹部２５Ｂで着脱可能に支承される。
【符号の説明】
【００１９】
１０、１０Ａ、１０Ｂ    香立
１１    線香
２０、２０Ａ、２０Ｂ    香皿
２１、２１Ａ    底部
２２、２２Ａ、４２、５２    壁部
２４、２４Ａ、４４    上端面
２５、２５Ａ、２５Ｂ    凹部
３１    ホルダ支持体
３５    ホルダ
３６    貫通孔
３７    溝
３８    曲面
【図１】
0003196543.tif 000003
【図２】
0003196543.tif 000004
【図３】
0003196543.tif 000005
【図４】
0003196543.tif 000006